(57)【要約】【課題】術者が手で把持して指先で操作する際の操作性を向上できるとともに、組立作業性の向上を図ることができる超音波振動子を提供することにある。【解決手段】駆動電流を超音波振動に変換するトランスデューサー１４と、前記トランスデューサーを覆うケース６と、前記駆動電流を供給する電源ケーブル３と、前記トランスデューサーを囲む第１内腔８と前記電源ケーブルを前記ケース内に引き込む第２内腔３５とに隔てる隔壁部９とを設けた超音波振動子において、前記隔壁部９に前記第１内腔と第２内腔とを貫通する貫通孔４８を設け、前記トランスデューサーを構成する電極２４，２５と一体に形成した板状電極２６，２７を延出し、この板状電極を前記貫通孔に挿入するとともに、前記貫通孔と前記板状電極の隙間を接着剤５３で封止固定したことを特徴とする。【選択図】    図１
2004236950.tif 000002
【特許請求の範囲】
【請求項１】
駆動電流を超音波振動に変換するトランスデューサーと、
前記トランスデューサーを覆うケースと、
前記駆動電流を供給する電源ケーブルと、
前記トランスデューサーを囲む第１室と前記電源ケーブルを前記ケース内に引き込む第２室とに隔てる隔壁部と、
を設けた超音波振動子において、
前記隔壁部に前記第１室と第２室とを貫通する貫通孔を設け、前記トランスデューサーを構成する電極と一体に形成した板状電極を延出し、この板状電極を前記貫通孔に挿入するとともに、前記貫通孔と前記板状電極の隙間を接着剤で封止固定したことを特徴とする超音波振動子。
【発明の詳細な説明】
【０００１】
【発明の属する技術分野】
この発明は、生体の手術部位の組織を超音波振動によって凝固または切開する超音波振動子に関する。
【０００２】
【従来の技術】
超音波振動子は、内部に超音波振動源（トランスデューサー）を有するケース（ハンドピース）、このケースに接続され、超音波振動源に駆動電流を供給する電源ケーブル、前記ケースに接続されるプローブとから構成されている。
【０００３】
そして、術者はケースを手で把持し、プローブの先端部を生体の手術部位に押し当て、組織を超音波振動によって凝固または切開するようになっている。従って、超音波振動子は、使用する毎に全体をオートクレーブ滅菌ができることが必須である。
【０００４】
そこで、超音波振動子のケースの内部にトランスデューサーを囲む第１室と電源ケーブルをケース内に引き込む第２室とを隔てる仕切り部材を設けている。この仕切り部材に電源ケーブルと接続された電極を挿通する貫通孔を設け、この貫通孔と電極とをＯリングによってシールすることにより、オートクレーブ滅菌時にトランスデューサーを囲む第１室に蒸気が侵入しないように構成したものが知られている（例えば、特許文献１及び２参照。）。
【０００５】
また、ケースの後端開口に弾性部材を有する後端キャップを設け、この後端キャップに電源ケーブルを挿通した状態で、後端キャップを締付ねじによって締め付けることにより、弾性部材を変形させてシールしたものが知られている（例えば、特許文献３参照。）。
【０００６】
さらに、ケースの後端開口に前後方向に２分割され、電源ケーブルを挿通した第１の部材と第２の部材を設け、この第１の部材と第２の部材との間にＯリングを設け、第１の部材と第２の部材を締付ねじによって締め付けることにより、Ｏリングを変形させてシールしたものが知られている（例えば、特許文献４参照。）。
【０００７】
【特許文献１】
特開２０００−３４２５９７号公報
【０００８】
【特許文献２】
特開２００１−１７４３９号公報
【０００９】
【特許文献３】
特開２０００−３００５７５号公報
【００１０】
【特許文献１】
特開２００２−１１０１５号公報
【００１１】
【発明が解決しようとする課題】
しかしながら、特許文献１，２のものは、ケースの内部に設けた仕切り部材を介してトランスデューサーに駆動電流を供給する必要があり、蒸気の侵入を防止しつつ電気的接続を確保するためのＯリング等の部品点数が増え、構造的に複雑で組立て工数がかかっていた。また、トランスデューサーに駆動電流を供給するリード線と電極とをトランスデューサーの外側面で半田付けしているために、リード線及びこの半田付け部分を覆う絶縁チューブがトランスデューサーの外側面から突出し、ケースの太径になり、術者が手指で把持して指先で操作する際に、微妙な操作が難しく、操作性が悪いという問題がある。
【００１２】
また、特許文献３，４は、電源ケーブルの外被を弾性部材の変形によってシールした構造であるが、電源ケーブルの外被は、弾性に富んだ屈曲に強い、例えばシリコンゴムを使用している。しかし、シリコンゴムは蒸気を透過しやすく、オートクレーブ滅菌時に電源ケーブルの外被の表面から浸入した蒸気は電源ケーブルの内部を通ってトランスデューサーを収納したケース内に侵入する虞がある。
【００１３】
この発明は、前記事情に着目してなされたもので、その目的とするところは、オートクレーブ滅菌時に蒸気がケースの内部に侵入することはなく、部品点数の削減と組立作業の簡素化を図ることができるとともに、ケースの細径化により操作性を向上できる超音波振動子を提供することにある。
【００１４】
【課題を解決するための手段】
この発明は、前記目的を達成するために、駆動電流を超音波振動に変換するトランスデューサーと、前記トランスデューサーを覆うケースと、前記駆動電流を供給する電源ケーブルと、前記トランスデューサーを囲む第１室と前記電源ケーブルを前記ケース内に引き込む第２室とに隔てる隔壁部とを設けた超音波振動子において、前記隔壁部に前記第１室と第２室とを貫通する貫通孔を設け、前記トランスデューサーを構成する電極と一体に形成した板状電極を延出し、この板状電極を前記貫通孔に挿入するとともに、前記貫通孔と前記板状電極の隙間を接着剤で封止固定したことを特徴とする。
【００１５】
前記構成によれば、トランスデューサーを構成する電極と一体に板状電極を延出し、この板状電極をトランスデューサーの外側面に沿わせて隔壁部の貫通孔に挿入することにより、トランスデューサーから離れた位置で板状電極と電源ケーブルの芯線とを半田付けでき、ケースの細径化が図られ、術者が手で把持して指先で操作する際の操作性を向上できる。また、貫通孔と板状電極の隙間を接着剤で封止することにより、オートクレーブ滅菌時に電源ケーブルの外被を蒸気が透過しても、隔壁部で遮断され、トランスデューサーを収納した室に蒸気が侵入することはなく完全気密構造となる。
【００１６】
【発明の実施の形態】
以下、この発明の実施の形態を図面に基づいて説明する。
【００１７】
図１〜図６は第１の実施形態を示し、図１は超音波振動子の斜視図、図２は超音波振動子の縦断側面図、図３は図２の矢印Ａ−Ａ線に沿う断面図、図４は図２の矢印Ｂ−Ｂ線に沿う断面図、図５は図２の矢印Ｃ−Ｃ線に沿う断面図、図６は図２の矢印Ｄ−Ｄ線に沿う断面図である。
【００１８】
本実施形態の超音波振動子１は、図１に示すように、超音波振動子１を超音波振動させるための駆動電流を発生させるジェネレータ（図示しない）に接続するプラグ２と、このプラグ２から駆動電流を振動子本体４に通電する電源ケーブル３と、超音波振動子１を洗滌及びオートクレーブ滅菌時に、プラグ２の内部に水分が侵入するのを防止する防水キャップ５とから構成されている。
【００１９】
振動子本体３について説明すると、図２〜図６に示すように、合成樹脂材料からなる円筒状のケース６の外周面は術者が手指でペンを把持する要領で把持する把持部７に形成されている。ケース６の内部には第１室としての第１内腔８が形成され、第１内腔８の基端部はケース６と一体の隔壁部９によって閉塞されている。第１内腔８の略中間部には内側に突出する環状凸部１０が設けられ、この環状凸部１０より先端側には開口筒部１１が設けられている。開口筒部１１の基端側の内周面にはシール面１２が設けられ、このシール面１２より先端側の内周面には雌ねじ部１３が形成されている。
【００２０】
ケース６の第１内腔８には開口筒部１１の先端側から後述するトランスデューサー１４が挿入されている。このトランスデューサー１４にはフランジ部１５を介してホーン１６が一体的に連結されており、フランジ部１５は環状凸部１０に当接されている。開口筒部１１の雌ねじ部１３には固定リング１７の雄ねじ部１８が螺合されており、この固定リング１７によってパッキン１９を介してホーン１６のフランジ部１５が環状凸部１０に押圧固定されている。固定リング１７の外周面にはＯリング２０が設けられ、このＯリング２０はシール面１２に押圧されてシールしている。
【００２１】
開口筒部１１の雌ねじ部１３の先端側には円筒状のアタッチメント２１が螺合されており、ホーン１６には雌ねじ孔２２が設けられ、プローブ（図示しない）の基端部が接続されるようになっている。
【００２２】
前記トランスデューサー１４は厚肉円板状の複数の圧電素子２３と薄肉円板状の２枚１組の電極２４，２５とを交互に重ね合わせて一体的に構成した積層体である。電極２４，２５は、肉厚が０．１ｍｍ程度の複数の薄肉円板２４ａ，２５ａをこれと一体の接続片部２４ｂ，２５ｂによって連結した一体構造で、さらに電極２４，２５には板状電極２６，２７が一体に延出して設けられている。そして、薄肉円板２４ａ，２５ａは圧電素子２３相互間に介在され、接続片部２４ｂ，２５ｂは圧電素子２３の外周部に露出している。
【００２３】
従って、板状電極２６，２７も肉厚が０．１ｍｍ程度の帯状体であり、この板状電極２６，２７はケース６の内壁面に沿って隔壁部９方向に延出されている。また、接続片部２４ｂ，２５ｂ及び板状電極２６，２７は熱収縮チューブからなる絶縁被膜２８によって被覆されている。なお、板状電極２６，２７の延出する長さは、トランスデューサー１４の振動の「節」位置から１／４波長以上に設定されている。
【００２４】
前記ケース６の基端部には細径部２９が設けられている。細径部２９の基端側における外周面にはＯリング３０を収納する環状溝３１が設けられ、先端側には雄ねじ部３２が形成されている。この雄ねじ部３２には合成樹脂材料からなる円筒状のキャップ３３の雌ねじ部３４が螺合されている。
【００２５】
キャップ３３にはケース６の隔壁部９を包容する第２室としての第２内腔３５が設けられている。第２内腔３５はキャップ３３の基端部に設けられた開口部３６と連通している。開口部３６の基端側の内周面にはパッキン３７が装着され、先端側の内周面には雌ねじ部３８が設けられている。この雌ねじ部３８には締付部材３９の雄ねじ部４０が螺合されている。
【００２６】
第２内腔３５には開口部３６から電源ケーブル３が引き込まれ、この電源ケーブル３の引き込み部は締付部材３９の締付によってパッキン３７を縮径方向に変形することにより締付固定されている。締付部材３９には電源ケーブル３の屈曲防止ゴム４１が装着されている。
【００２７】
第２内腔３５に引き込まれた電源ケーブル３の端末部にはシールド折返し部４２が形成され、このシールド折返し部４２には圧着部材４３が嵌着されている。圧着部材４３は隔壁部９の外周壁から開口部３６に向かってねじ込まれた２本の固定ねじ４３ａによって固定されている。さらに、電源ケーブル３の端末部には２本のリード線４４が導出され、リード線４４の先端部は芯線４５が露出されている。
【００２８】
従って、前記トランスデューサー１４を囲む第１内腔８と電源ケーブル３の端末を引き込んだ第２内腔３５とは隔壁部９によって区画されている。隔壁部９の中心部には中空部４６が設けられ、この中空部４６の周囲の２箇所には中空部４６と連通する切欠部４７が設けられている。そして、電源ケーブル３の端末部から導出された２本のリード線４４は、その導出端部と先端部が略Ｕ字状に折り返され、中空部４６から切欠部４７に沿って略Ｓ字状に屈曲されている。このようにリード線４４を略Ｓ字状に折り返すことにより、超音波振動子１の全長を短く構成できる。
【００２９】
また、隔壁部９の外周部の近傍には中空部４６を挟んで対称的に２つの貫通孔４８が設けられている。この貫通孔４８は隔壁部９の外周部に設けられたＵ字状の切欠溝４９と連通している。従って、貫通孔４８及び切欠溝４９によって第１内腔８と第２内腔３５とが連通している。
【００３０】
貫通孔４８には円柱状の仮支持部材５０が圧入されている。この仮支持部材５０はゴム等の弾性部材からなり、中央部には軸方向に切込み部５１が形成されている。そして、仮支持部材５０の切込み部５１には前記トランスデューサー１４から延出された板状電極２６，２７が１本ずつ挿入されて支持されている。
【００３１】
従って、板状電極２６，２７は仮支持部材５０を貫通して切欠溝４９まで延長され、この板状電極２６，２７の先端部は切欠溝４９の内部においてリード線４４の芯線４５と半田付けされている。さらに、板状電極２６，２７と芯線４５との半田付け部分は熱収縮チューブからなる絶縁被膜５２によって被覆されている。
【００３２】
また、貫通孔４８と板状電極２６，２７との間の隙間は貫通孔４８に充填された熱硬化性の耐熱性接着剤５３によって封止固定されている。さらに、切欠溝４９には絶縁充填剤５４が充填され、絶縁被膜５２によって被覆された板状電極２６，２７と芯線４５との半田付け部は封止固定されている。
【００３３】
次に、第１の実施形態の作用について説明する。
【００３４】
超音波振動させるための駆動電流を発生させるジェネレータ（図示しない）から電源ケーブル３を介して駆動電流を通電すると、駆動電流は電源ケーブル３のリード線４４、板状電極２６，２７を介してトランスデューサー１４の電極２４，２５に通電される。トランスデューサー１４は駆動電流を超音波振動に変換し、ホーン１０により振動の振幅拡大が行われ、プローブ（図示しない）に振動が伝達される。術者はケース６を手指で把持し、プローブの先端部を生体の手術部位に押し当てることにより、組織を超音波振動によって凝固処置または切開処置することができる。
【００３５】
本実施形態の超音波振動子１によれば、トランスデューサー１４の電極２４，２５と一体の板状電極２６，２７をケース６の内壁面に沿って隔壁部９方向に延出し、トランスデューサー１４から離れた位置でリード線４４と半田付けしているため、トランスデューサー１４の外周面とケース６の内周面との間隔を狭めることができる。従って、ケース６を細径化（２６ｍｍφ→１５ｍｍφ）でき、術者がケース６を手指で把持しやすく、操作性を向上することができる。
【００３６】
また、隔壁部９に設けた貫通孔４８に仮支持部材５０を圧入し、この仮支持部材５０の切込み部５１に板状電極２６，２７を挿入して板状電極２６，２７を支持することにより、貫通孔４８に耐熱性接着剤５３を充填して熱硬化させる際に、貫通孔４８内で板状電極２６，２７が偏ることはなく、組立作業性を向上できる。
【００３７】
さらに、トランスデューサー１４を収納する第１内腔８と電源ケーブル３を引き込む第２内腔３５とは隔壁部９で隔て、隔壁部９に設けられた貫通孔４８は耐熱性接着剤５３によって封止されているため、第２内腔３５内に水分が侵入しても、その水分がトランスデューサー１４を収納する第１内腔８に侵入することはない。
【００３８】
超音波振動子１は、使用する毎に全体をオートクレーブ滅菌ができることが必須であり、オートクレーブ滅菌時に蒸気が電源ケーブル３の外被を透過して第２内腔３５に侵入しても、隔壁部９の貫通孔４８は耐熱性接着剤５３によって封止されているため、蒸気がトランスデューサー１４を収納する第１内腔８に侵入することはない。
【００３９】
図７は第２の実施形態を示し、（ａ）は超音波振動子の縦断側面図、（ｂ）は（ａ）のＥ−Ｅ線に沿う断面図であり、第１の実施形態と同一構成部分は同一番号を付して説明を省略する。
【００４０】
トランスデューサー１４を構成する４個の電極６０にはそれぞれ独立して電極６１〜６４が設けられている。これら電極６１〜６４の外周縁の一部には一体に板状電極６１ａ〜６４ａが延出して設けられている。これら板状電極６１ａ〜６４ａはケース６の内壁面に沿って隔壁部９方向に延出している。隔壁部９には板状電極６１ａ〜６４ａの本数と同数の４個の貫通孔６５が中空部４６を挟んで対称的に設けられている。
【００４１】
そして、各貫通孔６５には板状電極６１ａ〜６４ａが挿通され、トランスデューサー１４から離れた位置でリード線４４と半田付けされている。各貫通孔６５には仮支持部材５０が圧入されているとともに、耐熱性接着剤５３が封止固定されている。
【００４２】
本実施形態の超音波振動子１においても、トランスデューサー１４の電極６１〜６４と一体の板状電極６１ａ〜６４ａをケース６の内壁面に沿って隔壁部９方向に延出し、トランスデューサー１４から離れた位置でリード線４４と半田付けしているため、トランスデューサー１４の外周面とケース６の内周面との間隔を狭めることができる。従って、４個の電極６１〜６４から独立して板状電極６１ａ〜６４ａが延出していてもケース６を細径化でき、術者がケース６を手指で把持しやすく、操作性を向上することができる。
【００４３】
また、隔壁部９に設けた各貫通孔６５には耐熱性接着剤５３が充填され、封止固定されているため、第２内腔３５内に水分が侵入しても、その水分がトランスデューサー１４を収納する第１内腔８に侵入することはなく、第１の実施形態と同様の効果がある。
【００４４】
図８〜図１０は第３の実施形態を示し、図８（ａ）は超音波吸引器として使用される超音波振動子の縦断側面図、（ｂ）は（ａ）のＦ−Ｆ線に沿う断面図、（ｃ）は（ａ）のＧ−Ｇ線に沿う断面図、図９は図８（ｃ）のＨ−Ｈ線に沿う断面図、図１０は図８（ｃ）のＩ−Ｉ線に沿う断面図であり、第１の実施形態と同一構成部分は同一番号を付して説明を省略する。
【００４５】
トランスデューサー１４を構成する複数の圧電素子２３、電極２４，２５及びバランス部材６６の中心部には貫通孔６７が穿設されている。ホーン１６の基端部には貫通孔６７に挿通される延長管６８が一体に設けられ、ホーン１６及び延長管６８には吸引管路６９が設けられている。延長管６８の先端部における外周面には雄ねじ部７０が形成され、この雄ねじ部７０にはバランス部材６６の雌ねじ部７１が螺合されている。従って、トランスデューサー１４の圧電素子２４、電極２４，２５はホーン１６とバランス部材６６との間で挟持固定されている。
【００４６】
ケース６の隔壁部９の中心部には軸方向に貫通路７２が設けられている。この貫通路７２には第１内腔８から第２内腔３５に向かって大径孔部７２ａ，中径孔部７２ｂ及び小径孔部７２ｃが設けられ、中径孔部７２ｂの内周面には雌ねじ部７２ｄが形成されている。この貫通路７２にはパイプからなる吸引管路部材７３が挿通されている。吸引管路部材７３には貫通路７２の形状に倣って大径部７３ａ，中径部７３ｂ及び小径部７３ｃが設けられている。
【００４７】
吸引管路部材７３の大径部７３ａの端部には嵌合穴７４が設けられ、この嵌合穴７４には前記吸引管路６９を形成する延長管６８の先端部がＯリング７５を介して気密に嵌合されている。吸引管路６９の内径と吸引管路部材７３の内径は同一に形成され、両者間に段差が生じないように形成されている。
【００４８】
さらに、吸引管路部材７３の中径部７３ｂの外周面にはＯリング７６が嵌合され、貫通路７２の中径孔部７２ｂと気密にシールされている。また、吸引管路部材７３の中径部７３ｂの外周面には雌ねじ部７２ｄと螺合する雄ねじ部７７が設けられ、吸引管路部材７３は隔壁部９に対して締付固定されている。
【００４９】
ケース７の基端部には合成樹脂材料からなるキャップ７８が嵌合されている。このキャップ７８は円筒状で、基端部に閉塞端部７８ａが設けられ、この閉塞端部７８ａの中央部には吸引管路部材７３が貫通する嵌合孔７９が設けられている。この嵌合孔７９の内周面にはＯリング８０が設けられ、第１内腔３５が液密にシールされている。
【００５０】
キャップ７８の閉塞端部７８ａには吸引管路部材７３を避けるように斜めに取付け孔８１が設けられ、第２内腔３５には取付け孔８１から電源ケーブル３が引き込まれている。取付け孔８１の内周面には雌ねじ部８２が設けられ、この雌ねじ部８２には電源ケーブル３の引き込み部に嵌着された締付部材８４の雄ねじ部８５が螺合されている。また、締付部材８４には電源ケーブル３の屈曲防止ゴム８６が装着されている。
【００５１】
第２内腔３５に引き込まれた電源ケーブル３の端末部にはシールド折返し部４２が形成され、このシールド折返し部４２には圧着部材４３が嵌着されている。電源ケーブル３の端末部には２本のリード線４４が導出され、リード線４４の先端部は芯線４５が露出されている。この芯線４５は第１の実施形態と同様に板状電極２６，２７と半田付けされている。
【００５２】
また、キャップの閉塞端部７８ａには吸引管路部材７３及び締付部材８４を避けて軸方向に２個の取付け孔８７が設けられ、この取付け孔８７にはＯリング８８を有する固定ねじ８９が挿入されている。ケース６の隔壁部９の後端面には取付け孔８７に対応してねじ孔９０が設けられ、固定ねじ８９をねじ孔９０に螺合することにより、キャップ７８は隔壁部９に固定されている。
【００５３】
本実施形態によれば、吸引管路６９を形成するホーン１６と一体の延長管６８と外部の吸引器に接続される吸引管路部材７３とがＯリング７５によって気密にシールされている。また、吸引管路部材７３とケース６の隔壁部９及びキャップ７８とがＯリング７６，８０によって気密にシールされている。従って、吸引管路６９及び吸引管路部材７３からの蒸気がトランスデューサー１４を収納する第１内腔８に侵入することはない。また、隔壁部９に設けた貫通孔４８には耐熱性接着剤５３が充填され、封止固定されているため、第２内腔３５内に水分が侵入しても、その水分がトランスデューサー１４を収納する第１内腔８に侵入することはなく、第１の実施形態と同様の効果がある。
【００５４】
前記実施形態によれば、次のような構成が得られる。
【００５５】
（付記１）駆動電流を超音波振動に変換するトランスデューサーと、前記トランスデューサーを覆うケースと、前記駆動電流を供給する電源ケーブルと、前記トランスデューサーを囲む第１室と前記電源ケーブルを前記ケース内に引き込む第２室とに隔てる隔壁部とを設けた超音波振動子において、前記隔壁部に前記第１室と第２室とを貫通する貫通孔を設け、前記トランスデューサーを構成する電極と一体に形成した板状電極を延出し、この板状電極を前記貫通孔に挿入するとともに、前記貫通孔と前記板状電極の隙間を接着剤で封止固定したことを特徴とする超音波振動子。
【００５６】
（付記２）前記隔壁部は、蒸気を遮断する材料で形成されていることを特徴とする付記１に記載の超音波振動子。
【００５７】
（付記３）前記接着剤は、耐熱性接着剤であることを特徴とする付記１に記載の超音波振動子。
【００５８】
（付記４）前記板状電極と貫通孔との隙間に接着剤とは別に弾性体を配置し、板状電極を貫通孔の中央に仮支持したことを特徴とする付記１に記載の超音波振動子。
【００５９】
（付記５）前記板状電極の延出する長さは、トランスデューサーの振動の節位置から１／４波長以上であることを特徴とする付記１に記載の超音波振動子。
【００６０】
（付記６）前記板状電極を挿入し、接着剤で封止する貫通孔は２個以上設けたことを特徴とする付記１に記載の超音波振動子。
【００６１】
（付記７）前記接着剤によって封止した貫通孔及び板状電極は、トランスデューサーの中心軸に関して略対称位置に配置されていることを特徴とする付記１に記載の超音波振動子。
【００６２】
（付記８）前記板状電極と電源ケーブルの芯線とは、前記トランスデューサーの振動の節位置から１／４波長以上離れた位置で半田付けされていることを特徴とする付記１に記載の超音波振動子。
【００６３】
（付記９）駆動電流を超音波振動に変換するトランスデューサーと、前記トランスデューサーを覆うケースと、前記駆動電流を供給する電源ケーブルと、前記トランスデューサーを囲む第１室と前記電源ケーブルを前記ケース内に引き込む第２室とに隔てる隔壁部と、前記トランスデューサー及び前記隔壁部を貫通する吸引管路とを設けた超音波振動子において、前記隔壁部に前記第１室と第２室とを貫通する貫通孔を設け、前記トランスデューサーを構成する電極と一体に形成した板状電極を延出し、この板状電極を前記貫通孔に挿入するとともに、前記貫通孔と前記板状電極の隙間を接着剤で封止固定したことを特徴とする超音波振動子。
【００６４】
（付記１０）前記吸引管路は、前記トランスデューサーの中心軸を貫通する第１の管路と、前記隔壁部を貫通する第２の管路が同一軸上に配置されているたことを特徴とする付記９に記載の超音波振動子。
【００６５】
（付記１１）前記隔壁部と第２の管路は気密にシールされていることを特徴とする付記１０に記載の超音波振動子。
【００６６】
【発明の効果】
以上説明したように、この発明によれば、トランスデューサーを構成する電極と一体に板状電極を延出し、この板状電極をトランスデューサーの外側面に沿わせて隔壁部の貫通孔に挿入することにより、ケースの細径化が図られ、術者が手で把持して指先で操作する際の操作性を向上できるとともに、組立作業性の向上を図ることができる。
【００６７】
また、貫通孔と板状電極の隙間を接着剤で封止することにより、オートクレーブ滅菌時に電源ケーブルの外被を蒸気が透過しても、隔壁部で遮断され、トランスデューサーを収納した室に侵入することはない、完全気密構造となる。
【図面の簡単な説明】
【図１】この発明の第１の実施形態を示す超音波振動子の斜視図。
【図２】同実施形態の超音波振動子の縦断側面図。
【図３】同実施形態を示し、図２の矢印Ａ−Ａ線に沿う断面図。
【図４】同実施形態を示し、図２の矢印Ｂ−Ｂ線に沿う断面図。
【図５】同実施形態を示し、図２の矢印Ｃ−Ｃ線に沿う断面図。
【図６】同実施形態を示し、図２の矢印Ｄ−Ｄ線に沿う断面図。
【図７】この発明の第２の実施形態を示し、（ａ）は超音波振動子の縦断側面図、（ｂ）は（ａ）のＥ−Ｅ線に沿う断面図。
【図８】この発明の第３の実施形態を示し、（ａ）は超音波振動子の縦断側面図、（ｂ）は（ａ）のＦ−Ｆ線に沿う断面図、（ｃ）は（ａ）のＧ−Ｇ線に沿う断面図。
【図９】同実施形態を示し、図８（ｃ）のＨ−Ｈ線に沿う断面図。
【図１０】同実施形態を示し、図８（ｃ）のＩ−Ｉ線に沿う断面図。
【符号の説明】
１…超音波振動子、３…電源ケーブル、６…ケース、８…第１内腔（第１室）９…隔壁部、１４…トランスデューサー、２４，２５…電極、２６，２７…板状電極、３５…第２内腔（第２室）、４８…貫通孔、５３…耐熱性接着剤。
【図１】
2004236950.tif 000003
【図２】
2004236950.tif 000004
【図３】
2004236950.tif 000005
【図４】
2004236950.tif 000006
【図５】
2004236950.tif 000007
【図６】
2004236950.tif 000008
【図７】
2004236950.tif 000009
【図８】
2004236950.tif 000010
【図９】
2004236950.tif 000011
【図１０】
2004236950.tif 000012